(57)【要約】      （修正有）【課題】引戸が閉鎖位置直前で開きっぱなしになるようなこともなく、確実に動作して引戸を常に静かに閉じることができる引戸の閉鎖緩衝装置を提供。【解決手段】引戸側または鴨居側に取り付けられるケーシング１内に、カム板３がガイド溝２に案内されて傾動乃至水平直線運動するように構成し、カム板の下方側にカム板を常時水平状の溝の端部側に引き寄せるスプリングダンパー機構４を設ける。鴨居側または引戸側には前記カム板の第１爪片３−１に当接するためのトリガー装置５を設けた引戸の閉鎖緩衝装置において、前記トリガー装置のトリガーボルト５−１をスプリング５−２を介して上下動可能に構成すると共に、前記カム板の第２爪片３−２がトリガーボルト５−１に当接したときに、トリガーボルトがスプリングに抗して後退するようにカム板の第２爪片３−２若しくはトリガーボルト５−１あるいは第２爪片、トリガーボルト双方に傾斜面を形成した。【選択図】図２
2008163704.tif 000002
【特許請求の範囲】
【請求項１】
引戸側または鴨居側に取り付けられるケーシング内に水平状の溝とアール曲線状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするためのトリガーボルトを有するトリガー装置を設けた引戸の閉鎖緩衝装置において、
前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトあるいは第２爪片、トリガーボルト双方に傾斜面を形成したことを特徴とする引戸の閉鎖緩衝装置。
【請求項２】
請求項１記載の引戸の閉鎖緩衝装置において、前記ガイド溝のアール曲線状の溝の曲率を５０Ｒ以上１００Ｒ以下とし、同溝の端部にカム板の一方のガイドピンが嵌入するロック溝を形成したことを特徴とする請求項１記載の引戸の閉鎖緩衝装置。
【請求項３】
請求項１記載の引戸の閉鎖緩衝装置において、前記引戸の戸先上端部に傾斜面を形成するかまたは傾斜面のあるブロックを取り付けてあることを特徴とする請求項１記載の引戸の閉鎖緩衝装置。
【発明の詳細な説明】
【技術分野】
【０００１】  本発明は、引戸が閉鎖位置直前で開きっぱなしになるようなこともなく、確実に動作して引戸を常に静かに閉じることができる引戸の閉鎖緩衝装置の改良に関するものである。
【背景技術】
【０００２】
【特許文献１】  特開平２−２８６１０２号公報
【発明の開示】
【発明が解決しようとする課題】
【０００３】  従来から引戸が閉鎖位置直前で開きっぱなしになるようなこともなく、確実に動作して引戸を常に静かに閉じることができる引戸の閉鎖緩衝装置として、例えば、  特開平２−２８６１０２号公報に記載される「引出し用閉止装置」の引出を引戸に代え、付勢手段のスプリングをスプリングダンパーとして引戸を常に静かに閉じることができるようにしたものが既に公知である。【０００４】  然しながら、この特開平２−２８６１０２号公報に記載される「引出し用閉止装置」の構成をそのまま利用した従来の引戸の閉鎖緩衝装置にあっては、引戸の閉鎖動作を制御するガイド溝とカム板のガイドピンとの関係において引戸の開閉時の衝撃等の何らかの影響によってカム板が誤動作して後述するように正常な閉鎖動作が得られないという問題点が生じ、一旦、このような誤動作が生じると、引戸を建具枠から外して誤動作を解消する作業を要し、確実性に欠けるだけでなく、頻繁に誤動作が起こると部材が損傷するという問題点があった。【０００５】  そこで、この問題点を解決するために、ガイド溝の形状を特殊な形状としてカム板が常に正常な動きをするような構造が考えられたが、これはガイド溝のアール部分を直線の垂直部分と直線の傾斜部分にしたものであったため、作動時にガイド溝に案内されるガイドピンが垂直部分の溝に入るときにクリック音が発生し、引戸の閉鎖動作毎に騒音が生じるという新たな問題が生じていた。
【発明の目的】
【０００６】  本発明は、上記問題点を解決するために、ガイド溝の形状を特殊な形状とすることなく上記誤動作が生じても引戸の開閉動作中に自動的に解消することができる引戸の閉鎖緩衝装置を提供することにある。
【課題を解決するための手段】
【０００７】  本発明の引戸の閉鎖緩衝装置は、引戸側または鴨居側に取り付けられるケーシング内に水平状の溝とアール曲線状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするためのトリガーボルトを有するトリガー装置を設けた引戸の閉鎖緩衝装置において、前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトあるいは第２爪片、トリガーボルト双方に傾斜面を形成したことを特徴とするものである。
【発明の作用】
【０００８】  本発明装置では、カム板が誤動作しても手動による閉鎖動作の際にカム板の誤動作が修復されて自動閉鎖の態勢に復元することができる。
【実施例１】
【０００９】  図１は、本発明装置を取り付けた引戸の全体正面図、図２は、本発明装置の引戸開放時の状態を表わす側面図、図３は、同装置の引戸閉鎖途中の状態を表わす側面図、図４は、同装置の引戸閉鎖時の状態を表わす側面図、図５は、誤動作が生じたときのカム板とトリガー装置の関係を表わす側面図、図６は、トリガー装置を引戸側に取り付けた状態の側面図である。【００１０】  図において、１は、引戸側に取り付けられる装置のケーシングであって、引戸Ａの上端に形成された掘り込み孔に嵌め込まれて取り付けられるようになっている。【００１１】  また、引戸Ａの戸先上端部には後述するトリガー装置のトリガーボルトが当接してもトリガーボルトが後退して衝突によるトリガーボルトの損傷がないように傾斜面Ａ−１を形成するか傾斜面のあるブロックを取り付けておいてもよいものである。【００１２】  ２は、ケーシング１の側板に形成されたガイド溝であって、水平状の溝２−１とアール曲線状の溝２−２からなっており、この溝２−２の曲率は５０Ｒ以上１００Ｒ以下が好ましく、また、溝２−２の端部には後述のガイドピンがロックされるロック溝２−３が形成されている。【００１３】  ３は、上方に第１爪片３−１、第２爪片３−２を有するカム板であって、このカム板３の２箇所に設けられたガイドピン３ａ、３ｂが前記ガイド溝２に挿通され、このガイドピン３ａ、３ｂのガイド溝２内での動きによってカム板３が傾動乃至水平直線運動できるように構成されている。【００１４】  また、上記カム板３の第２爪片３−２にはカム板３が後述するような誤動作をしても手動による引戸の閉鎖動作の際にカム板の誤動作が修復されて自動緩衝閉鎖の態勢に復元させるための傾斜面３−２ａを形成してある。【００１５】  尚、本実施例では自動緩衝閉鎖の態勢に復元させるための傾斜面３−２ａをカム板３の第２爪片３−２に形成したが、後述するトリガー装置のトリガーボルトに形成してもよいし、第２爪片３−２及びトリガーボルト双方に形成してもよいものである。【００１６】  ４は、スプリング４−１及びエアーシリンダー４−２から構成されるカム板３を常時水平状の溝２−１の端部側に緩やかに引き寄せるためのスプリングダンパー機構であって、シリンダー内に始めからスプリングを収納した既存のガススプリング等のスプリングダンパーを使用することも可能であるが、本実施例では価格面からそれぞれ別体のものを採用した。【００１７】  ５は、上記カム板３の動きを制御するトリガー装置であって、そのケーシング５ａが引戸Ａの上端が嵌められる鴨居Ｂの溝に取り付けられており、ケーシング５ａ内には第１爪片３−１、第２爪片３−２に当接するトリガーボルト５−１がスプリング５−２を介して上下動自在に嵌装されている。【００１８】  次に、本発明装置による正常な作動状態を図について具体的に説明する。【００１９】  先ず、引戸Ａが開放しているときには、カム板３の一方のガイドピン３ｂはガイド溝２のアール曲線状の溝２−２のロック溝２−３の位置にあり、カム板３は図２のように傾いた状態にある。【００２０】  この状態においては、ガイドピン３ｂがガイド溝２のロック溝２−３の位置でロックされてカム板３は動けず、スプリング４−１は引き伸ばされた侭の状態を保持している。【００２１】  この状態から引戸Ａを閉鎖位置の近傍まで閉めていくと、引戸Ａの上端が嵌められる鴨居Ｂの溝に取り付けられているトリガー装置のトリガーボルト５−１にカム板３の第１爪片３−１が当接する。【００２２】  この状態から更に引戸Ａを閉鎖方向に押してやると、カム板３はガイドピン３ａを支点として図３のように反時計方向に傾動し、ガイドピン３ｂがガイド溝２のロック溝２−３から外れることによってロックが解除され、ガイドピン３ａ、３ｂが水平状の溝２−１に案内されてカム板３はスプリング４−１の復元力によって図面左方向に移動する。【００２３】  尚、引戸Ａを開放状態から勢い良く閉めたときにはトリガーボルト５−１にカム板３の第１爪片３−１が激しく当接するが、ガイドピン３ｂがガイド溝２のロック溝２−３から外れてロックが解除されるときに衝突のエネルギーを吸収するため、引戸Ａにブレーキが掛かるようになっている。【００２４】  カム板３が図面左方向に移動するということは、トリガーボルト５−１が固定状態であるからケーシング１が取り付けられている引戸Ａが右方向即ち閉鎖方向に移動し、エアーシリンダー４−２の緩衝作用によって緩やかに閉鎖し、戸先が縦枠Ｃに押し付けられるように当たって完全閉鎖する。（図４）【００２５】  図４の閉鎖状態において、引戸Ａを開放方向に押すと、トリガーボルト５−１に第２爪片３−２が当接しているので、カム板３は引戸Ａを開放方向に押す力によってスプリング４−１を引き伸ばしながら右方向に移動し、ガイドピン３ｂがガイド溝２のアール曲線状の溝２−２の位置までくると、ガイドピン３ａを支点として時計方向に傾動し、ガイドピン３ｂがロック溝２−３の位置でロックされてカム板３は元の引戸Ａの開放状態に戻る。【００２６】  以上のように、引戸Ａの開閉の都度上記作動を反復して引戸の閉鎖時における緩衝作用を行うのである。【００２７】  而して、装置の正常な作動状態にあっては、引戸Ａが開放しているときには図２のように必ずカム板３のガイドピン３ｂがロック溝２−３に入っていてカム板３がロックされていなければならないのであるが、引戸の開閉時の衝撃等の何らかの影響によってカム板３が誤動作してガイドピン３ｂがロック溝２−３の位置から外れてロックされない状態の侭引戸Ａが開放された場合には、後述する作用により誤動作を解消できるようにしてある。【００２８】  即ち、正常な動作時は引戸Ａを開放するときに第２爪片３−２がトリガーボルト５−１に押されてカム板３が傾動するのであるが、カム板３の誤動作時には傾動しない侭引戸Ａが図５のような状態で開放してしまう。【００２９】  従来の改良していない装置にあっては、この状態の侭引戸Ａを閉鎖しようとすれば、カム板３の第２爪片３−２がトリガーボルト５−１に衝突してしまい、それ以上引戸Ａを閉鎖方向に押すことはできず、引戸Ａを完全に閉鎖することができない事態となり、引戸を建具枠から外して誤動作を解消する作業を要していた。【００３０】  本発明の改良された引戸の閉鎖緩衝装置では、カム板３の第２爪片３−２に傾斜面３−２ａを形成し、ケーシング５ａ内にトリガーボルト５−１をスプリング５−２を介して上���動自在に嵌装したトリガー装置５が設けられているので、引戸Ａを手動で閉鎖するときにカム板３の第２爪片３−２がトリガーボルト５−１に衝突しても、第２爪片３−２の傾斜面３−２ａの作用によってトリガーボルト５−１がスプリング５−２の復元力に抗して上昇し、第２爪片３−２の上端を越えてカム板３の第１爪片３−１、第２爪片３−２の間にトリガーボルト５−１が入った図３の引戸Ａの閉鎖状態に復帰することになる。【００３１】  従って、誤動作が解消された後は正常な動作に復帰するもので、誤動作が発生しても引戸を一旦手動で閉める操作をするだけで誤動作が解消されるものである。【００３２】  尚、カム板３の誤動作を解消する手段として、第２爪片３−２の側面側に傾斜面を形成し、トリガーボルト５−１が第２爪片３−２に当接したとき、その傾斜面の作用で引戸が開閉方向と直交する方向に振れることによってトリガーボルト５−１を第２爪片３−２をすり抜けさせて第１爪片３−１、第２爪片３−２の間にトリガーボルト５−１が入った図３の引戸Ａの閉鎖状態に復帰させる方法等色々考えられたが、確実性の面から本発明の改良手段が最適であった。【００３３】  また、本実施例ではケーシング１を引戸Ａ側に、トリガー装置５を鴨居Ｂ側に取り付けたが、図６のように逆にケーシング１を鴨居Ｂ側に、トリガー装置５を引戸Ａ側に取り付けてもその作用は全く同じである。
【発明の効果】
【００３４】  以上述べたように、本発明の引戸の閉鎖緩衝装置によれば、引戸側または鴨居側に取り付けられるケーシング内に水平状の溝とアール曲線状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするためのトリガーボルトを有するトリガー装置を設けた引戸の閉鎖緩衝装置において、前記トリガー装置のトリガーボルトをスプリングを介して上下動可能に構成すると共に、前記カム板の第２爪片がトリガーボルトに当接したときに、トリガーボルトがスプリングに抗して後退するようにカム板の第２爪片若しくはトリガーボルトあるいは第２爪片、トリガーボルト双方に傾斜面を形成したものであるから、カム板が誤動作しても手動による閉鎖動作の際にカム板の誤動作が修復されて自動緩衝閉鎖の態勢に復元することができるもので、従来装置の問題点であるクリック騒音やカム板の誤動作による故障を完全に解消し、長期に亘って安心して使用できるものである。
【００３５】  また、本発明装置ではトリガーボルトがスプリングに抗して後退するようにしてあるため、引戸の戸先上端部に実施例のように傾斜面を形成するかまたは傾斜面のあるブロックを取り付けておけば、建具の上下調節のときに誤って引戸を閉めてもその傾斜面の作用によってトリガーボルトが後退して引戸の衝突によるトリガーボルトの損傷を避けることができるもので、従来装置では起こり得た取り付け時における致命的な事故を回避して安全性が確保されるものである。
【図面の簡単な説明】
【００３６】
【図１】  本発明装置を取り付けた引戸の全体正面図である。
【図２】  本発明装置の引戸開放時の状態を表わすである。
【図３】  同装置の引戸の閉鎖途中の状態を表わす側面図である。
【図４】  同装置の引戸閉鎖時の状態を表わす側面図である。
【図５】  誤動作が生じたときのカム板とトリガー装置の関係を表わす側面図である。
【図６】  トリガー装置を引戸側に取り付けた状態の側面図である。
【符号の説明】
【００３７】    １        ケーシング
２        ガイド溝
３        カム板
４        スプリングダンパー機構
５        トリガー装置
【図１】
2008163704.tif 000003
【図２】
2008163704.tif 000004
【図３】
2008163704.tif 000005
【図４】
2008163704.tif 000006
【図５】
2008163704.tif 000007
【図６】
2008163704.tif 000008